【事件の表示】
　平成９年商標登録願第１８６９０８号拒絶査定に対する審判事件について、次のとおり審決する。
【結　論】
　原査定を取り消す。
　本願商標は、登録すべきものとする。
【理　由】
第１　本願商標
　本願商標は、「ＳＥＲＣＯＳ」の欧文字を標準文字とし、第９類に属する「数値制御機械器具用デジタルインターフェイス（主として計測要素，信号回路，トランスミッターからなり，制御器と駆動装置，センサ，アクチュエータとを連結する。），その他の配電用又は制御用の機械器具，電気通信機械器具，電子応用機械器具及びその部品，測定機械器具」の商品及び第４２類に属する「数値制御機械器具に於けるデジタルインターフェイスに関する技術的コンサルティング・計画・設計」の役務を指定商品及び指定役務として、平成９年１２月１７日に登録出願されたものである。その後、第９類の指定商品については、平成１１年６月２５日付手続補正書により、「数値制御機械器具用デジタルインターフェイス（主として計測要素、信号回路、トランスミッターからなり、制御器と駆動装置、センサ、アクチュエータと連結する。）」と補正されたものである。
　
第２　引用商標
　原査定が本願商標を商標法第４条第１項第１１号に該当するとして、その拒絶の理由に引用した登録第１１７３５０１号商標（以下「引用商標１」という。）は、「ＳＡＲＣＯ」の欧文字を横書きした構成よりなり、昭和４８年６月９日登録出願、第１０類「自動調節機械器具、その他の測定機械器具、その他本類に属する商品」を指定商品として、同５０年１２月１１日に設定登録され、その後、同６１年１月２０日及び平成７年１１月２９日の二回にわたり、商標権の存続期間の更新登録がされているものである。そして、指定商品中「医療機械器具」については、商品の一部放棄によって、同１２年９月５日に本権の登録一部抹消の登録がされたものである。
　同じく、登録第１８３１６８３号商標（以下「引用商標２」という。）は、「ＳＥＬＣＯＳ」の欧文字を横書きした構成よりなり、昭和５８年８月３０日登録出願、第１１類「電子応用機械器具、その他本類に属する商品」を指定商品として、同６０年１２月２５日に設定登録され、その後、平成８年３月２８日に商標権の存続期間の更新登録がされているものである。
　同じく、登録第２１１５２２０号商標（以下「引用商標３」という。）は、「ＳＥＬＣＯＳ」の欧文字を横書きした構成よりなり、昭和６１年１１月２８日登録出願、第１０類「測定機械器具、その他本類に属する商品」を指定商品として、平成元年２月２１日に設定登録され、その後、同１０年１１月４日に商標権の存続期間の更新登録がされているものである。
　同じく、登録第２１５２５７０号商標（以下「引用商標４」という。）は、「ＳａＣＯＳ」の欧文字をややデザイン化して横書きした構成よりなり、昭和６１年５月１４日登録出願、第１１類「電気機械器具、電気通信機械器具、電子応用機械器具、電気材料」を指定商品として、平成元年７月３１日に設定登録されたものである。
　同じく、登録第４１９５０２０号商標（以下「引用商標５」という。）は、「サーカス」及び「ＣＩＲＣＵＳ」の文字を二段に横書きした構成よりなり、平成８年１０月３１日登録出願、第９類に属する「理化学機械器具，測定機械器具，配電用又は制御用の機械器具，回転変流機，調相機，電池，電気磁気測定器，電線及びケーブル，写真機械器具，映画機械器具，光学機械器具，眼鏡，加工ガラス（建築用のものを除く。），救命用具，電気通信機械器具，電子計算機用プログラムを記憶させた電子回路・磁気ディスク及び磁気テープ，その他の電子応用機械器具及びその部品，オゾン発生器，電解槽，遊園地用機械器具，電気アイロン，電気式ヘアカーラー，電気式ワックス磨き機，電気掃除機，電気ブザー，乗物の故障の警告用の三角標識，発光式又は機械式の道路標識，鉄道用信号機，火災報知機，盗難警報器，消火器，消火栓，消火ホース用ノズル，保安用ヘルメット，磁心，抵抗線，電極，映写フィルム，スライドフィルム，スライドフィルム用マウント，録画済みビデオディスク及びビデオテープ，ガソリンステーション用装置，自動販売機，駐車場用硬貨作動式ゲート，金銭登録機，硬貨の計数用又は選別用の機械，作業記録機，写真複写機，手動計算機，製図用又は図案用の機械器具，タイムスタンプ，タイムレコーダー，電気計算機，パンチカードシステム機械，票数計算機，ビリングマシン，郵便切手のはり付けチェック装置，計算尺，潜水用機械器具，アーク溶接機，金属溶断機，電気溶接装置，検卵器，電動式扉自動開閉装置」を指定商品として、同１０年１０月２日に設定登録されたものである。
　同じく、登録第４１９５７８５号商標（以下「引用商標６」という。）は、「ＳＥＬＣＯＳ」の欧文字を横書きした構成よりなり、平成４年９月２９日登録出願、第４２類に属する「電子計算機のプログラムの設計・作成又は保守、電気に関する試験又は研究、金属・非金属その他の材料に関する試験又は研究、機械・装置若しくは器具又は機械等により構成されている設備の設計又は製図、構造物の破壊調査・腐食調査に関するコンサルティング、技術動向の調査・分析に関するコンサルティング、技術動向に関する情報の提供、特許に関する先行技術調査、特許に関するコンサルティング」を指定役務として、同１０年１０月９日に設定登録されたものである。
　
第３　当審の判断
１ 本願商標について
　本願商標は、その構成前記のとおり「ＳＥＲＣＯＳ」の欧文字を書してなるものであるところ、例えば、親しまれた英語の中に「ｓｅｒｖｉｃｅ」を「サービス」と、「ｃｏｓｍｏｓ」を「コスモス」と発音されている用例に照らしてみれば、本願商標よりは容易に、「サーコス」と発音されるものといえる。そうとすれば、本願商標は全体として、英語読み風の「サーコス」の称呼のみを生ずるものというのが自然であり、特定の観念を生じない造語よりなるものとみるのが相当である。
２　引用商標について
（１）引用商標１、３及び４について
　本願商標の指定商品は、前記１のとおり、補正がなされた結果、引用商標１及び３の指定商品とは互いに抵触しない非類似の商品になったと認め得るところである。
　そして、引用商標４の商標権は、当該商標登録原簿の記載に徴すれば、平成１１年７月３１日に存続期間満了により消滅し、その登録の抹消が同１２年４月１２日にされているものである。
（２）引用商標２、５及び６について
　引用商標２及び６は、その構成前記のとおり「ＳＥＬＣＯＳ」の欧文字よりなるものであるから、該文字に相応して「セルコス」の称呼を生じ、特定の観念を生じない造語よりなるものというのが相当である。
　そして、引用商標５は、その構成前記のとおり「サーカス」「ＣＩＲＣＵＳ」の文字を二段に書してなるものであるから、該構成文字に相応して「サーカス」の称呼を生じ、「曲芸、曲芸団」等の観念を生じるものである。
３　本願商標と引用商標２、５及び６との類否について
（１）引用商標を「セルコス」と称呼した場合
　本願商標より生ずる「サーコス」の称呼と、引用商標２及び６より生ずる「セルコス」の称呼とを比較するに、両称呼は、語頭音である「サー」と「セル」の音に差異があり、該差異が、共に短い音構成にあって、両称呼全体に及ぼす影響は決して小さいものということはできず、両称呼をそれぞれ一連に称呼した場合であっても、十分に聴別し得るものといわなければならない。
（２）引用商標を「サーカス」と称呼した場合
　本願商標より生ずる「サーコス」の称呼と、引用商標５より生ずる「サーカス」の称呼とを比較するに、両称呼は、第２音における「コ」と「カ」の音に差異があり、該差異音が、共に短い音構成にあって、称呼全体に与える影響は決して小さいものということはできず、それぞれ一連に称呼した場合であっても、語感、語調が異なるものというべきであり、両称呼は、十分に聴別し得るものである。
（３）本願商標と引用商標２、５及び６とは、外観上十分に区別し得るものであり、観念においては前記したとおりであるから、比較することができない。
　してみれば、本願商標と引用商標２、５及び６とは外観、称呼及び観念のいずれからみても何ら相紛れるおそれのない、非類似の商標というべきである。
４　むすび
　したがって、本願商標が商標法第４条第１項第１１号に該当するとして本願を拒絶することはできない。
　その他、本願について拒絶すべき理由を発見しない。
　よって、結論のとおり審決する。